(57)【要約】      （修正有）【課題】  犬、猫の体型にフィットした着心地のよいドッグウエア、キャッツウエアを提供することを課題とする。また犬、猫の体型にフィットした着心地のよいドッグウエア、キャッツウエアを制作するための型紙を提供する。【解決手段】  少なくとも前身頃と後身頃により前部と後部を覆い、前身頃と後身頃を互いに縫着して連結したドッグウエア、キャッツウエアにおいて、前身頃の上下方向の中心線Ａ−Ａの長さが犬の前胸における中心線上で採寸される前胸丈と同じとし、前身頃の両側辺における基準点Ｂが犬、猫の前胸において特定される点ｂに対応するとともに、前身頃における基準点Ｂを結ぶ基準線Ｂ−Ｂの長さが犬の前胸において特定される点ｂ、ｂ間の幅と同じとしたドックウエア、キャッツウエアである。【選択図】  図１
2005058182.tif 000002
【特許請求の範囲】
【請求項１】
少なくとも前身頃と後身頃により前部と後部を覆い、前身頃と後身頃を互いに縫着して連結したドッグウエア、キャッツウエアにおいて、前身頃の上下方向の中心線Ａ−Ａの長さが犬の前胸における中心線上で採寸される前胸丈と同じとし、前身頃の両側辺における基準点Ｂが犬、猫の前胸において特定される点ｂに対応するとともに、前身頃における基準点Ｂを結ぶ基凖線Ｂ−Ｂの長さが犬の前胸において特定される点ｂ、ｂ間の幅と同じであるドッグウエア、キャッツウエア。
【請求項２】
前身頃の両側辺における基準点Ｂが犬、猫の前胸における犬、猫の両前足の後ろ付け根ｂ、ｂに対応するとともに、前身頃の両側辺の基凖点Ｂを結ぶ基凖線Ｂ−Ｂの長さが犬、猫の前胸における両前足の後ろ付け根間の幅と同じである請求項１に記載のドッグウエア、キャッツウエア。
【請求項３】
前身頃の両側辺における基準点Ｂが犬、猫の前胸における両前足の前付け根ｆ、ｆと両前足の後ろ付け根ｂ、ｂとの間の任意の点に対応するとともに、前身頃の両側辺の基準点Ｂを結ぶ基凖線Ｂ−Ｂの長さが犬、猫の両前足の前付け根と両前足の後ろ付け根間との間において特定された前記任意の２点間の幅と同じである請求項１に記載のドッグウエア、キャッツウエア。
【請求項４】
前身頃は、両前足の前付け根ｆ、ｆに対応するＦ、Ｆと両前足の後ろ付け根ｂ、ｂに対応するＢ、Ｂの４点を結ぶ台形部において、傾斜する側辺線Ｆ−Ｂと点Ｆから下線Ｂ−Ｂへの垂線Ｆ−Ｄにより形成される３角形部の内側にありかつ点Ｆから点Ｂへ向かう適宜な湾曲線によりウエアの腋線ｅを形成した請求項１に記載のドッグウエア、キャッツウエア。
【請求項５】
前身頃は、基準点Ｂ、Ｂを結ぶ基準線Ｂ−Ｂにより区分される上前身頃と下前身頃を備え、基準点Ｂを起点として後方へ延びる腋線を介して下前身頃片の側辺部と後身頃の側縁部を縫着して連結した請求項１に記載のドッグウエア、キャッツウエア。
【請求項６】
前身頃は、後方においては後ろ付け根ｂに対応する基準点Ｂを起点として後方へ延びる  線ｅにより縫着される一方、前方においては基準点Ｂを起点とする前方へ湾曲して延びる腋線ｅを介して縫着され、かつ前足の前付け根ｆ、ｆの近傍から上方に立ち上がって請求項１に記載のドッグウエア、キャッツウエア。
【請求項７】
少なくとも前身頃と後身頃により前部と後部を覆い、前身頃と後身頃を互いに縫着して連結したドッグウエア、キャッツウエアにおいて、前身頃の上下方向の中心線Ａ−Ａの長さが犬、猫の前胸における中心線上で採寸される前胸丈と同じとし、前身頃の両側縁における基準点Ｂを結ぶ基準線Ｂ−Ｂの長さが両前足の後ろ付け根間の幅と同じとし、後身頃は犬、猫の背筋線に対応する後身頃の中心線Ｄ−Ｄにより対称に分けられる左右の後身頃片を備え、基準点Ｂと一致して配置される後身頃片の上縁部側端Ｔから後身頃の中心線Ｄ−Ｄへの垂線Ｔ−Ｑの長さを、採寸された犬の前胴回りの長さから両前足の後ろ付け根間の幅を減じた数値の半分に設定したドッグウエア、キャッツウエア。
【請求項８】
後身頃の中心線Ｄ−Ｄの長さを犬、猫の所望のウエア丈と同じに設定した請求項７に記載のドッグウエア、キャッツウエア。
【発明の詳細な説明】
【発明の詳細な説明】
【技術分野】
【０００１】  本発明は、ドッグウエア、キャッツウエアおよびこれを制作する型紙にかんする。
【背景技術】
【０００２】  ドッグウエアなどペットウエアに対する関心が高まるなか、ペットの体型に合致したウエアの開発が求められている。ドッグウエアでいえば犬は種類、性別などによってその体型が大きく異なり、体型にフィットしたウエアの作成は容易でない。既成品や既存のオーダーメイドの場合、サイズが大雑把に「Ｓ」（小型）「Ｍ」（中型）「Ｌ」（大型）に区別されているだけでなく、そのサイズにおいても犬独自の体型を考慮したものはない。特定のサイズを選択しても部分的にゆる過ぎたりあるいはきつ過ぎたりして体型にフィットするウエアはない。人間用ウエアには標準型ともいうべきパターンが存在するが、ペット用ウエアにはこのようなパターンは開発されていない。２足歩行する人間と４足歩行する犬とは体型が根本的に相違するから、人間用ウエアのパターンをそのままドッグウエアに転用することはできない。フィットしないウエアを無理に着用させると普段の行動が制約されるだけでなく、ストレスの原因にもなりかねない。ペットは言葉が話せないだけにこの問題は深刻ともいえる。【０００３】  従来の技術文献としては、特開平２０００−３４５２８３などがあるが、本願発明に開示されるような思想や構成は開示されていない。
【発明が解決しようとする課題】
【０００４】  本発明はこのような状況のもと、体型にフィットした着心地のよいドッグウエア、キャッツウエアを提供することを課題とする。また体型にフィットした着心地のよいドッグウエア、キャッツウエアを制作するための型紙を提供することを課題とする。
【課題を解決するための手段】
【０００５】  この課題を解決するため、本発明にかかるドッグウエア、キャッツウエアは、少なくとも前身頃と後身頃により前部と後部を覆い、前身頃と後身頃を互いに縫着して連結したドッグウエア、キャッツウエアにおいて、前身頃の上下方向の中心線Ａ−Ａの長さが犬の前胸における中心線上で採寸される前胸丈と同じとし、前身頃の両側辺における基準点Ｂが犬、猫の前胸において特定される点ｂに対応するとともに、前身頃における基準点Ｂを結ぶ基準線Ｂ−Ｂの長さが犬の前胸において特定される点ｂ、ｂ間の幅と同じである。
【０００６】  また、前身頃の両側辺における基準点Ｂが犬、猫の前胸における両前足の前付け根ｆ、ｆと両前足の後ろ付け根ｂ、ｂとの間の任意の点に対応するとともに、前身頃の両側辺の基準点Ｂを結ぶ基準線Ｂ−Ｂの長さが犬、猫の両前足の前付け根と両前足の後付け根間との間において特定された前記任意の２点間の幅と同じである。
【０００７】そして前身頃は、両前足の前付け根ｆ、ｆに対応するＦ、Ｆと両前足の後ろ付け根ｂ、ｂに対応するＢ、Ｂの４点を結ぶ台形部において、傾斜する側辺線Ｆ−Ｂと点Ｆから下線Ｂ−Ｂへの垂線Ｆ−Ｄにより形成される３角形部の内側にあり、かつ点Ｆから点Ｂへ向かう適宜な湾曲線によりウエアの腋線ｅが形成される。
【０００８】また前身頃は、後方においては後ろ付け根ｂに対応する基準点Ｂを起点として後方へ延びる脇線により縫着される一方、前方においては基準点Ｂを起点とする前方へ湾曲して延びる腋線ｅを介して縫着され、かつ前足の前付け根ｆ、ｆの近傍から上方に向かっている。
【０００９】また前身頃の上下方向の中心線Ａ−Ａの長さが犬、猫の前胸における中心線上で採寸される前胸丈と同じとし、前身頃の両側縁における基準点Ｂを結ぶ基準線Ｂ−Ｂの長さが犬の前胸において特定される両前足の後ろ付け根間の幅と同じとし、後身頃は犬、猫の背筋線に対応する後身頃の中心線Ｄ−Ｄにより対称に分けられる左右の後身頃片を備え、基準点Ｂと一致しして配置される後身頃片の上縁部側端Ｔから後身頃の中心線Ｄ−Ｄへの垂線Ｔ−Ｑの長さを、採寸された犬の前胴回りの長さから両前足の後ろ付け根間の幅を減じた数値の半分に設定した。
【００１０】本発明は体型にフィットしたドッグウエア、キャッツウエアを開発するため、胴部の特定部位、特に問題となる部位のフィット性にを高めることに着目したものである。たとえば湾曲度の大きな前胸でいえば、前胸の湾曲度により近似した構造を前身頃に実現するためにいくつかの条件を設定し、その条件をみたす前身頃を構成しようとするものである。
【発明を実施するための最良の形態】
【００１１】  本発明にかかるドッグウエア、キャッツウエアおよびその型紙にかんする実施の形態について説明する。ウエア１は身頃、つまり前身頃２と後身頃３により胴体の前部と後部を覆う。身頃は衿や袖を別にして胴体を包む部分の総称であり、通常はウエストから上の部分をさすが、ワンピース、コート、オーバーオールなど上下に分離されないものはウエストから下の部分も含む。身頃の構造に制限はなく、Ｔシャツのように前身頃が一体になったもの、背広のようにボタンの掛け止めにより左右方向に開閉可能なもの、あるいはボタン、ファスナーのような掛け止め手段を備えず左右方向に開閉可能なものなどを含む。ウエアは通常、首が挿入される首口部、前足、後足の挿入される足挿入口を有し、また足挿入口に袖を設け、首口部に襟部を設けるなど、ウエアの種類、用途などにより種々な構造成を採用することができる。【００１２】  図１はウエア１の前身頃２、後身頃３、袖１２（但し２つの袖のうち一方は省略）、衿５の４種類の裁断パターンの平面図であり、図２は前身頃２と後身頃３を部分的に連結した平面図である。通常、裁断パターンは布製であるが、その他適宜な素材を使用する。裁断パターンは外側線とこれと若干の間隔隔をおき並行する内側線の２重線で外形が表示されるが、外側線と内側線との間は「縫いしろ」、内側線はウエアの「仕上がり線」（縫着線）であり、内側線がその実態形状を示す。【００１３】  前身頃２は上辺部６、下辺部７、左右の側辺部９、９によりその外形が形成され、上辺部６の中間点と下辺部７の中間点を結ぶ上下の中心線Ａ−Ａにより対称に分けられる一対の前身頃片２０、２０を備える。Ａ−Ａ線は犬１００の前胸１０１、前腹１０２における中心線１０３、例えば、犬の首１０５の前方の中間点１０６から、両前足１０７間の中間点１０９を通り後方に延びる中心線１０３に対応している（図１２参照）。また前身頃２は左右の側辺部９における特定の基準点Ｂ、Ｂを結ぶ基準線Ｂ−Ｂにより対称に配置される前身頃片２１、２２を備える。基準点Ｂは適宜に設定できるが、図示の場合、側辺部９の基準点Ｂは犬の両前足の後ろ付け根ｂに対応している。設定される２つの基準点Ｂ、Ｂの位置に制限はないが犬などの両前足の前付け根ｆ、ｆと両前足の後ろ付け根ｂ、ｂとの範囲内で選択するのが望ましい。基準点Ｂ、Ｂはサイドの脇線１９の起点となり、また腋を形成する腋線ｅにも関連するからである。そして基準線Ｂ−Ｂの長さは両前足の後ろ付け根ｂ、ｂ間の長さと同じである。すなわち任意の点に対応して設定された前身頃の両側辺の基凖点Ｂ、Ｂを結ぶ基準線Ｂ−Ｂの長さは、その任意の２点間の長さと同じである。【００１４】  前胸丈ｖは犬の首１０５から両前足１０７の後ろ付け根ｂまでの長さである。基準線Ｂ−Ｂと直交Ｃする中心線Ａ−Ａ線の前身頃２における長さ、つまり上前身頃２１のＡ−Ｃ線の長さは、前胸１０１の中間を通る中心線１０３上で採寸される犬の前胸丈ｖと同じである。一般的に犬などは前胸１０１の形態に特徴がある。前身頃２のＡ−Ｃ線の長さを犬の前胸丈と同じ設定するのは形態上の特徴をその長さの観点から条件化するものである。【００１５】  また前胸１０１は腋、つまり両前足１０７の前付��根ｆから後ろ付け根ｂまでの間の湾曲度が大きい一方、首１０５に近い部分は垂直面に近似する緩やかな立状の湾曲面である（図１１参照）。ウエア１が体型にフィットするには前身頃２がこのような湾曲度に適応したものでなければならない。両前足１０７の前付け根ｆ、ｆ間の長さと、両前足の後ろ前付け根ｂ、ｂ間の長さを対比すると、前者が後者より短いことが確認される。そして前身頃２は、両前足の前付け根ｆ、ｆに対応するＦ、Ｆと両前足の後ろ付け根ｂ、ｂに対応するＢ、Ｂの４点を結ぶ台形部において、傾斜する側辺線Ｆ−Ｂに沿って点Ｆから点Ｂへ向かう弧状の湾曲線を引き、これをウエアの腋線ｅとすることができる。弧状の湾曲線ｅは犬の前足の付け根における足回りの弧状の湾曲度に近似しているからである。【００１６】さらにいえば足の後ろ付け根ｂ、ｂに対応するＢ、Ｂの４点を結ぶ台形部において、傾斜する側辺線Ｆ−Ｂと点Ｆから下線Ｂ−Ｂへの垂線Ｆ−Ｄにより形成される３角形部の内側において点Ｆから点Ｂへ向かう適宜な湾曲線によりウエアの腋線ｅを形成する。このように特定された点ＦからＢへ向け適宜にあるいは自然に引かれた湾曲線は実際の腋線に近似するから、これにより、前胸１０１の曲線に対応する前身頃２、特に腋の大きい湾曲度に適応した前身頃２が構成される。【００１７】前身頃２は、後方においては、後ろ付け根ｂに対応する基準点Ｂを起点として後方（裾方向）へ延びる脇線１９を介して後身頃３に縫着される。また前身頃２は、前方においては、基準点Ｂを起点とする前方へ湾曲しながら延びる腋線ｅを介して縫着される。前身頃２と後身頃３の間に袖１２が介在する（袖１２がある）場合、前身頃２は袖１２に縫着され、袖１２がない場合は前身頃２が後身頃３に縫着される（図示せず）。いずれの場合も基準点Ｂより前方に向かう前身頃２は、その縫着によりその方向性がより確実となる。また前身頃２は前足の前付け根ｆ、ｆの近傍から上方へと立ちあがっており、これにより前胸１０１の曲線に対応する前身頃２が構成される。【００１８】後身頃３は、中央上縁部１３とその両側にある上縁部１５と左右の側縁部１６、１６と下縁部１７が互いに連続し、後身頃３の外形を形成する。また後身頃３は、中央上縁部１３と下縁部１７との間の中心線Ｄ−Ｄにより対称に配置された一対の後身頃片２３を備える。後身頃３の中心線Ｄ−Ｄは犬１００の背中側における中心線、つまり背筋線１１１に対応しており、図１１では犬１００の背中の上縁線に相当する。また後身頃３の中心線Ｄ−Ｄの長さは所望のウエア丈ｗ、具体的にはウエアの背中側の後丈と同じに設定してある。中心線Ｄ−Ｄの長さの調整は、これにより所望のウエア丈が確保されるだけでなく、後身頃３も首口部１５０の一部を構成するから、長さの調整された前身頃２とともに、ウエア、特に前胴から前方部分のフィット性に貢献する。【００１９】  前身頃２とを後身頃３を部分的に連結した状態を示す図３において、両前足１０７の後ろ付け根ｂ、ｂに対応する前身頃の基準点Ｂと後身頃３の上縁部側端Ｔが一致しており、前身頃２の側辺部９と後身頃３の側縁部１６とを重ね合わると仕上がり線Ｂ−Ｆとなる。なお縫着された仕上がり線Ｂ−Ｆは脇線１９となる。（図３では左後身頃片と対称に配置される右後身頃片の一部が省略されているがその構成は左後身頃片と同じである。）この場合、後身頃の上縁部側端Ｔ（基準点Ｂと一致する）から後身頃の中心線Ｄ−Ｄへの垂線Ｔ−Ｑの長さは、採寸された犬の前胴回りｖの長さから、両前足の後ろ前付け根ｂ、ｂ間の幅を減じた数値の半分に設定してある。いいかえると、後身頃３の中心線Ｄ−Ｄに直交する線Ｑ−Ｔの長さに、これと対応関係にある前身頃２における中心線Ａ−Ａと直交する線（例えば、Ｂ−Ｂ線）の長さを加えたものが犬の胴部回りと同じである。前身頃２と後身頃３が連結されたウエア１は、前胴の長さが犬の前胴回りと同じかあるいは近似しており、これにより前胴部分がフィットする。なおこのような調整は前胴だけでなく後胴などでもおこなうことができ、採寸箇所に限定はない。また他の採寸方法なども適宜に採用しうる。【００２０】  長さやサイズはメジャーや紐状物などの適宜な採寸手段（図示せず）により採寸する。基準となる首１０５の位置を設定するため、例えばゴム紐の首輪のように、輪状物１１２を一時的に首に装着するとよい（図１２参照）。ウエア１の首口部１５０は位置を特定した犬の首１０５と対応し、またウエア丈ｗは犬の首の輪状物１１２を一方の起点として採寸するのがよい。図１１、１２において、ｐは犬の首回り、ｘは犬の前胴回り、ｙは犬の中胴回り、ｘは犬の後胴回り、ｕは前足の前付け根ｆ、ｆ間の幅、ｖと犬の前胸丈の採寸箇所を説明的に示す。犬の前胸の中間を通る中心線１０３上で前胸丈ｖを採寸するのと同様に、中心線１０３上で犬の首から前足の前付け根ｆまでの長さを採寸するとよい。また同じく中心線１０３上で前足の前後の付け根ｆ、ｂ間の長さを採寸してもよい。そして採寸のとき、メジャーは、きつ過ぎず、ゆる過ぎないように回し、例えば、人差し指が１本入るほどにする。ウエアのフィット性のよさは犬の胴部とウエア１との間に適度な間隔が保持されることに達成されるからである。【００２１】  なお犬の前胴回りｘは、犬の前足の後ろ付け根ｂ、ｂを通過するメジャーなどの採寸手段を前胴部に巻回して採寸する。この場合、メジャーなどを巻回する方向、つまり採寸の方向は、犬を側面側（図１２の左右いずれのか）からみたとき、前足の後ろ付け根ｂから犬の背中の背筋線１１１にほぼ直交する方向にするのがよい（図１１参照）これにより後身頃３の上縁部側端Ｔ（基準点Ｂと同じ）から後身頃の中心線Ｄ−Ｄに直交するように延びる垂線Ｔ−Ｑが、前胴部の採寸方向と基本的に一致する。【００２２】  図示の場合、前身頃２と後身頃３との間に袖１２が設けられる（但し両袖のうち一方は省略）。後身頃の上縁部１５には袖の一方の側縁部２６が縫着され、また袖の他方の側縁部３０に上前身頃片２０の一方の側辺部９が縫着される。図４、５はウエア制作の一過程をやや誇張して示す説明図であり、身頃を裏返した状態でまち針３１を打つとともに、仕上がり線（点線参照）により袖１２を縫着する。その手順は、後身頃３の上縁部１５に袖１２の一方の側縁部２６を縫着した後、袖１２の他方の側縁部３０に上前身頃片２０の側辺部９を縫着する（図４参照）。それから袖１２の縁部２７と縁部２９を重ね合わせて縫着（図５の袖１２下側の点線の仕上がり線）するとともに、Ｇ−Ｇ線を基凖として円筒状に丸めるように形成された袖１２は、下縁部２８による袖口３２を有する。【００２３】  このように前身頃２、後身頃３、袖１２を所定の方法で互いに組合わせ縫着すると、身頃の上端部には首口部１５０が形成される。ウエアの口首部１５０は犬の首１０５に対応し、前身頃２、後身頃３、袖１２の上辺部６、中央上縁部１３、上縁部２５をそれぞれ円形状にまとめたものであり、首口部１５０はそ大きさが犬の首回りｐと同じに設定してある。これによりウエアは犬の首部分においてフィットするだけでなく、このような首口部１５０の大きさの規制は犬の前胸部分におけるフィット性にも寄与する。袖１２のないウエアの場合、前身頃、後身頃の上辺部、上縁部を円形状にまとめて首口部１５０が形成される（図示せず）。また図示の場合は、首口部１５０に衿５が設けられる。衿５の裁断パターンを線Ｈ−Ｈより折り返すとともに両端部を縫着し、中心線Ｋ−Ｋを基準に環状にしたものを首口部１５０に縫着する【００２４】  型紙と裁断パターンは基本的に同じ形状、構成であり、裁断パターンにかんする説明が型紙についても当てはまる。裁断パーンと同じ構成には同じ符号を付してあり、その説明は裁断パターンの場合と同じであるから適宜、省略する。すなわち、前身頃２、後身頃３により前部と後部を覆うドッグウエア１用の型紙５０において、前身頃２の上下方向の中心線Ａ−Ａの長さが犬、猫の前胸における中心線上で採寸される前胸丈と同じである。また前身頃２の両側片９、９における基準点Ｂを結ぶ基準線Ｂ−Ｂの長さが、犬の前胸１０１において特定される両前足の後ろ付け根間の幅と同じである。後身頃３は犬の背筋線１１１に対応する後身頃３の中心線Ｄ−Ｄにより対称に配置された一対の後身頃片２３を備える。また基準点Ｂと一致して配置される後身頃３の上縁部側端Ｔから後身頃３の中心線Ｄ−Ｄへの垂線Ｔ−Ｑの長さを、採寸された犬１００の前胴回りｘから両前足の後ろ付け根ｆ、ｆ間の幅を減じた数値の半分に設定した。【００２５】以上ドッグウエアについて説明したが、これは基本的にキャッツウエアについても妥当する。なお犬、猫は体毛が密生しており正確な採寸が困難であり、前記ように、実際の採寸上、メジャーは、きつ過ぎず、ゆる過ぎないように巻回するから、そこにはある程度の誤差ないしは余裕の存在が前提とされている。そこで請求の範囲を含む本文において長さ、幅、丈、高さ、間隔など距離関係を表す語、また一定の箇所（例えば、特定の点）や位置などを示す位置関係を表す語において「同じ」とは、全く「同じ」場合だけでなく「ほぼ同じ」、「実質的に同じ」の場合も含む趣旨である。
【発明の効果】
【００２６】  本願発明によれば、前胸、前胴などの部分、部位において胴部と一定の間隔が保持され、きつ過ぎずゆる過ぎず、体型にフィットしたドッグウエア、キャッツウエアが提供される。またこのようなドッグウエア、キャッツウエアを制作するための簡易な型紙が提供される。本願発明は実際に採寸された犬、猫のウエアが対象となるが、さらに種類や性別など一定の基準により採集して標準化されたデータにより作成されたウエアにも適用される。本願発明のウエアは従来品にはみられない体型にフィットものとなる。
【図面の簡単な説明】
【図１】本発明のウエア用の裁断パターンの平面図である。
【図２】同ウエア用の裁断パターンを作成する型紙の平面図である。
【図３】連結された前身頃と後身頃の一部破断された拡大平面図である。
【図４】前身頃、後身頃、袖を互いに縫着して連結する状態を示す説明図である。
【図５】袖の下側を縫着する状態を示す一部拡大説明図である。
【図６】畳まれていない状態のウエア用の説明的な斜視図である。
【図７】畳まれた状態のウエア用の正面図である。
【図８】畳まれた状態のウエア用の背面図である。
【図９】ウエアを着用した犬の側面図である。
【図１０】ウエアを着用した犬の正面図である。
【図１１】犬の側面図である。
【図１２】犬の正面図である。
【符号の説明】
１  ウエア
２  前身頃
３  後身頃
５  衿
６  前身頃の上辺部
７  前身頃の下辺部
９  前身頃の側辺部
１３  後身頃の中央上縁部
１５  後身頃の上縁部
１６  後身頃の側縁部
【図１】
2005058182.tif 000003
【図２】
2005058182.tif 000004
【図３】
2005058182.tif 000005
【図４】
2005058182.tif 000006
【図５】
2005058182.tif 000007
【図６】
2005058182.tif 000008
【図７】
2005058182.tif 000009
【図８】
2005058182.tif 000010
【図９】
2005058182.tif 000011
【図１０】
2005058182.tif 000012
【図１１】
2005058182.tif 000013
【図１２】
2005058182.tif 000014
【手続補正書】
【提出日】平成15年9月25日(2003.9.25)
【手続補正１】
【補正対象書類名】特許請求の範囲
【補正対象項目名】請求項１
【補正方法】変更
【補正の内容】
【請求項１】  少なくとも前身頃と後身頃により前部と後部を覆い、前身頃と後身頃を互いに縫着して連結したドッグウエア、キャッツウエアにおいて、上前身頃の上下方向の中心線Ａ−Ｃの長さが犬の前胸における中心線上で採寸される前胸丈と同じとし、前身頃の両側辺における基準点Ｂが犬、猫の前胸において特定される点ｂに対応するとともに、前身頃における基準点Ｂを結ぶ基準線Ｂ−Ｂの長さが犬の前胸において特定される点ｂ、ｂ間の幅と同じであるドッグウエア、キャッツウエア。【手続補正２】
【補正対象書類名】明細書
【補正対象項目名】０００５
【補正方法】変更
【補正の内容】
【０００５】  この課題を解決するため、本発明にかかるドッグウエア、キャッツウエアは、少なくとも前身頃と後身頃により前部と後部を覆い、前身頃と後身頃を互いに縫着して連結したドッグウエア、キャッッウエアにおいて、上前身頃の上下方向の中心線Ａ−Ｃの長さが犬の前胸における中心線上で採寸される前胸丈と同じとし、前身頃の両側辺における基準点Ｂが犬、猫の前胸において特定される点ｂに対応するとともに、前身頃における基準点Ｂを結ぶ基準線Ｂ−Ｂの長さが犬の前胸において特定される点ｂ、ｂ間の幅と同じである。
【手続補正３】
【補正対象書類名】明細書
【補正対象項目名】００１３
【補正方法】変更
【補正の内容】
【００１３】  前身頃２は上辺部６、下辺部７、左右の側辺部９、９によりその外形が形成され、上辺部６の中間点と下辺部７の中間点を結ぶ上下の中心線Ａ−Ａにより対称に分けられる一対の前身頃片２０、２０を備える。Ａ−Ａ線は犬１００の前胸１０１、前腹１０２における中心線１０３、例えば、犬の首１０５の前方の中間点１０６から、両前足１０７間の中間点１０９を通り後方に延びる中心線１０３に対応している（図１２参照）。また前身頃２は左右の側辺部９における特定の基準点Ｂ、Ｂを結ぶ基準線Ｂ−Ｂにより配置される前身頃片２１、２２を備える。基準点Ｂは適宜に設定できるが、図示の場合、側辺部９の基準点Ｂは犬の両前足の後ろ付け根ｂに対応している。設定される２つの基準点Ｂ、Ｂの位置に制限はないが犬などの両前足の前付け根ｆ、ｆと両前足の後ろ付け根ｂ、ｂとの範囲内で選択するのが望ましい。基準点Ｂ、Ｂはサイドの脇線１９の起点となり、また腋を形成する腋線ｅにも関連するからである。そして基準線Ｂ−Ｂの長さは両前足の後ろ付け根ｂ、ｂ間の長さと同じである。すなわち任意の点に対応して設定された前身頃の両側辺の基準点Ｂ、Ｂを結ぶ基準線Ｂ−Ｂの長さは、その任意の２点間の長さと同じである。
【手続補正４】
【補正対象書類名】明細書
【補正対象項目名】００２０
【補正方法】変更
【補正の内容】
【００２０】  長さやサイズはメジャーや紐状物などの適宜な採寸手段（図示せず）により採寸する。基準となる首１０５の位置を設定するため、例えばゴム紐の首輪のように、輪状物１１２を一時的に首に装着するとよい（図１２参照）。ウエア１の首口部１５０は位置を特定した犬の首１０５と対応し、またウエア丈ｗは犬の首の輪状物１１２を一方の起点として採寸するのがよい。図１１、１２において、ｐは犬の首回り、ｘは犬の前胴回り、ｙは犬の中胴回り、ｚは犬の後胴回り、ｕは前足の前付け根ｆ、ｆ間の幅、ｖは犬の前胸丈の採寸箇所を説明的に示す。犬の前胸の中間を通る中心線１０３上で前胸丈ｖを採寸するのと同様に、中心線１０３上で犬の首から前足の前付け根ｆまでの長さを採寸するとよい。また同じく中心線１０３上で前足の前後の付け根ｆ、ｂ間の長さを採寸してもよい。そして採寸のとき、メジャーは、きつ過ぎず、ゆる過ぎないように回し、例えば、人差し指が１本入るほどにする。ウエアのフィット性のよさは犬の胴部とウエア１との間に適度な間隔が保持されることに達成されるからである。
【手続補正５】
【補正対象書類名】図面
【補正対象項目名】図２
【補正方法】変更
【補正の内容】
【図２】
2005058182.tif 000015